(57)【要約】【課題】棟部に設けられた一対の笠木を被覆する笠木被覆パネルを有する勾配屋根であれば新設の屋根と既設の屋根のいずれにも適用できまた石綿スレート瓦を葺く屋根と瓦棒を設けるトタン等の屋根のいずれにも適用できること。【解決手段】笠木や野地板等を切り欠いて長矩形開口を形成し笠木被覆パネルに切り込みを入れて立ち上げて長矩形筒を形成し、次いで、長矩形筒の四方に延びている天板部と棟方向側端面部と屋根傾斜側端面部とを備える上面パネルをブラケットを介して笠木被覆パネルへ取付けるとともに該上面パネルの内側空間に屋根裏の空気と外気との流通を許して上下に蛇行する案内作用を行う屋根傾斜方向に流通させる除湿エレメントを取付けること。【選択図】図５
2006214110.tif 000002
【特許請求の範囲】
【請求項１】
棟部に設けられた両側に傾斜する一対の笠木を密着して被覆する耐候性・防錆性を有する金属板よりなる笠木被覆パネルを有する勾配屋根において、前記一対の笠木の互いに隣接する端面側を切り欠いて笠木の中央部に棟方向へ長尺の長矩形開口を形成しかつ笠木の下側の野地板等も切り欠くとともに該長矩形開口の両側に換気装置を構成するための除湿エレメントを設置するスペースを確保し、前記笠木被覆パネルに切り込みを入れて立ち上げてなる一対の長尺側壁を利用して前記長矩形開口を取り囲む長矩形筒を設けてなることを特徴とする換気装置用通気口の形成方法。
【請求項２】
笠木と野地板等を切り欠いて前記長矩形開口を形成してから、前記一対の長尺側壁を形成するための切り込みを入れた笠木被覆パネルを笠木に被せて、切り込みを開いて一対の長尺側壁を立ち上げ両端の間口を塞いで前記長矩形筒を設けてなることを特徴とする請求項１に記載の換気装置用通気口の形成方法。
【請求項３】
笠木被覆パネルを笠木に被せてから笠木被覆パネルに切り込みを入れて一対の長尺側壁を立ち上げ、その後に一対の長尺側壁間に露出する笠木と野地板等を切り欠いて長矩形開口を形成し一対の長尺側壁間の両側の開口を塞いでなることを特徴とする請求項１に記載の換気装置用通気口の形成方法。
【請求項４】
棟部に設けられた両側に傾斜する一対の笠木を密着して被覆する耐候性・防錆性を有する金属板よりなる笠木被覆パネルを有する勾配屋根において、前記一対の笠木の互いに隣接する端面側を切り欠いて笠木の中央部に棟方向へ長尺の長矩形開口を形成しかつ笠木の下側の野地板等も切り欠くとともに該長矩形開口の両側に換気装置を構成するための除湿エレメントを設置するスペースを確保し、前記長矩形開口に一致する開口を有する笠木被覆パネルを笠木に被せて設け、笠木被覆パネルに前記長矩形開口を取り囲む長矩形筒を設けてなることを特徴とする換気装置用通気口の形成方法。
【請求項５】
棟部に設けられた両側に傾斜する一対の笠木を被覆する耐候性・防錆性を有する金属板よりなる笠木被覆パネルを有する勾配屋根に設ける家屋棟部用換気装置の製作方法であって、笠木や野地板等を切り欠いて長矩形開口を形成するとともに笠木被覆パネルに前記長矩形開口と連通する長矩形筒を立ち上げ形成し、次いで、長矩形筒の両側に屋根裏の空気及び外気を許して上下又は左右に蛇行するように流通させて結露方式の除湿機能を有する除湿エレメントを設けるとともに、前記長矩形筒と前記除湿エレメントの上方を覆い前記長矩形筒の棟方向両側で前記笠木被覆パネルに密着し前記笠木被覆パネルの端面側に外気通流口を有し前記笠木被覆パネル及び笠木へねじや釘等の止着具で止着される前記ブラケット又はブラケットを兼ねさせる前記除湿エレメントに連結支持される上面パネルを設けることを特徴とする家屋棟部用換気装置の製作方法。
【請求項６】
棟部に設けられた両側に傾斜する一対の笠木を被覆する耐候性・防錆性を有する金属板よりなる笠木被覆パネルを有する勾配屋根に設ける家屋棟部用換気装置であって、
勾配屋根の棟部に設けられる両側に傾斜する一対の笠木を密着して被覆する耐候性・防錆性を有する金属板よりなる笠木被覆パネルであって笠木の上面両側に換気装置を構成するための除湿エレメントを設置するスペースを確保するようにして各笠木の互いに隣接する端面側を切り欠くとともに野地板等も切り欠いて笠木の中央部に棟方向へ長尺に形成する長矩形開口に対してその上に立ち上がる長矩形筒を有する笠木被覆パネルと、前記長矩形筒を取り囲むか又は前記長矩形筒を挟む両側に位置して笠木被覆パネルの上面に設けられ空気流を上下又は左右に蛇行して流れさせる蛇行通路を形成するととも空気流に含まれる水分を結露させて外方へ流出させる邪魔板を有する除湿エレメントと、前記長矩形筒と前記除湿エレメントと前記ブラケットの上方を覆い前記長矩形筒の棟方向両側で前記笠木被覆パネルに密着し前記笠木被覆パネルの端面側に外気通流口を有し前記笠木被覆パネル及び笠木へねじや釘等の止着具で止着される前記ブラケット又はブラケットを兼ねさせる前記除湿エレメントに連結支持される上面パネルと、からなることを特徴とする家屋棟部用換気装置。
【請求項７】
前記除湿エレメントは、前記長矩形筒の屋根傾斜方向両側において前記笠木被覆パネルに固定されるブラケットから立ち上がる立ち上がりリブと、前記長矩形筒の屋根傾斜方向両側において前記上面パネルの天板部より垂下する垂下リブとに分配されてなるラビリンス構造であり、
前記立ち上がりリブと、前記上面パネルを構成する上面部及び屋根傾斜側端面部とが一体形状であるアルミニウム型材よりなり、前記棟方向側端面部が前記アルミニウム型材の両端面に当接されてタッピンねじで固定されてなることを特徴とする請求項６に記載の家屋棟部用換気装置。
【発明の詳細な説明】
【技術分野】
【０００１】
本発明は、棟部に設けられた両側に傾斜する一対の笠木を密着して被覆する耐候性・防錆性を有する金属板よりなる笠木被覆パネルを有する勾配屋根の棟部に設ける換気装置用通気口の形成方法、家屋棟部用換気装置の製作方法及び家屋棟部用換気装置に関する。
【背景技術】
【０００２】
特許文献１は、換気装置は、固定用金具を取付けて嵩上げしてから下部材を積み重ねて連結し、下部材に連結した第１止水部材と第２止水部材を支持手段として上部材を被せて連結する構成であり、第１止水部材と第２止水部材によって下部材と上部材との間の空間を空気流を屋根傾斜方向下方へ向かって上下に蛇行して流れさせ、下部材の屋根方向下端よりも張出している上部材の屋根方向下端より垂下する端面部と下部材との間の開口より換気を行うことを提案している。特許文献２も同様の提案である。
【特許文献１】特開２００４−３６０２９９号公報
【特許文献２】特開２００４−２７８０６４号公報
【発明の開示】
【発明が解決しようとする課題】
【０００３】
特許文献１と２の屋根の換気装置は、棟木と垂木とで組み上げた骨組上に野地板を釘止めして敷き詰め、野地板の上面にアスファルトルーフィング等の防水シートを敷いてから石綿スレート板等の屋根材を葺き、屋根材の上に棟の両側に傾斜する一対の笠木を突き合せて釘止めして、耐候性・防錆性を有する金属板よりなり棟部に設けられた両側に傾斜する一対の笠木を密着被覆している笠木被覆パネルを有する勾配屋根の棟部分に、垂木と野地板と屋根材等を切り欠くとともに笠木を分断して屋根裏から外部に貫通する屋根開口部を形成し、この屋根開口部に、屋根面側から上方側に延びるように水切り部材を設けて、この屋根開口部の上方に換気装置を設置するものである。
特許文献１と２の屋根の換気装置に見られるように、垂木と野地板と屋根材等を切り欠くとともに笠木を分断して屋根裏から外部に貫通する屋根開口部を形成することを必要としている換気装置の欠点が幾つもあり、
１つ目は、屋根開口部に笠木がないので笠木と同じ高さにするための雨仕舞いを兼ねた固定用金具を必要としており、固定用金具の外側部分を釘で屋根瓦と野地板と垂木に対して打ち付けているので、外側の釘が弛んでそこから雨が侵入してしまい雨仕舞いを完全に行うことはできないこと、
２つ目は屋根開口部に笠木がないので換気装置の幅が大きくなることが避けられないこと、
３つ目は屋根工事における棟部分の施工について家屋棟部用換気装置を設置する場合と設置しない場合とでは施工の状況に大きな差異があるので、家屋棟部用換気装置を設置することを最初から念頭に入れて施工することが必要であり、笠木被覆パネルを取付けて屋根工事を完了した後では家屋棟部用換気装置を設置することができないこと、
４つ目は部品点数が多くなること、
等が挙げられる。
詳述すると、特許文献１と２の屋根の換気装置は、笠木を分断して大きな換気用開口を確保して設置する構成であるために、棟部の両側の屋根瓦に対して下方へ大きく被せて雨仕舞いが確保される必要があるとともに、換気用開口の端縁から離れる棟木方向へも大きく被せて雨仕舞いが確保される必要があるので、換気装置の大面積化・大重量化・コスト高を招いており、防水機能もそれだけ高いものが要求される。特に、積雪が多い地方向け製品では雪の重さに耐えられる強度が必要であり大面積であるために相乗的に肉厚になり重量が大きくコスト高になってしまう。
また、特許文献１と２の屋根の換気装置は、既設の屋根には設置が難しいし、瓦棒を設けるトタン屋根には全く適用できない。
特許文献１と２の屋根の換気装置は、笠木が無い部分に固定用金具を設置して笠木と同じ高さに嵩上げして該固定用金具の上に下部材を載置している。それによって、下部材の両端は両側の笠木の上面に整合して重なる構造であり、固定用金具がなければ雨仕舞いができない。また、換気用開口が大きいので笠木被覆パネルを取付けてから換気装置を取付ける前までの間に、換気用開口から多量の雨水が入り込む不具合がある。固定用金具は必須部品であり、部品点数を多くしているとともにコスト高の要因になっている。
また、特許文献１と２の屋根の換気装置は、固定用金具の内側部分と外側部分を釘で屋根瓦と野地板と垂木に対して打ち付けているので、外側の釘が弛んでそこから雨が侵入してしまう不具合がある。特許文献１と２の屋根の換気装置は、構造的に固定用金具が必要であり、かつ固定用金具の外側の釘を無くすことはできない。また、固定用金具を止着する釘は垂木があるところでなければ止着強度を確保できない。従って、釘は垂木があるところに設けるから４５ｃｍ間隔で打ち付けることしかできないので台風などの強風に対して換気装置の固定が十分であるとは言えなかった。また、釘を打ち付けるとき垂木が見えないので垂木を外れて釘が打ち付けてしまうことがありうる。換気装置をアルミニウム型材で作ると、釘孔は屋根の上で垂木に一致させて現場合わせで開口することを必要としていた。
【０００４】
本発明は、棟部に設けられた両側に傾斜する一対の笠木を密着して被覆する耐候性・防錆性を有する金属板よりなる笠木被覆パネルを有する勾配屋根であれば新設の屋根と既設の屋根のいずれにも適用できまた石綿スレート瓦を葺く屋根と瓦棒を設けるトタン等の屋根のいずれにも適用できる勾配屋根の棟部に設ける、換気装置用通気口の形成方法、家屋棟部用換気装置の製作方法及び家屋棟部用換気装置を提供することを目的とする。
本発明は、棟部分の施工について笠木及び笠木被覆パネルの分断を必要とせずかつ施工が容易であり短時間で施工できて雨水が外気と共に棟部の換気口まで侵入するのを確実に阻止可能である換気装置用通気口の形成方法、家屋棟部用換気装置の製作方法及び家屋棟部用換気装置を提供することを目的とする。
本発明は、幅寸法が笠木の幅より若干大きい大きさに抑えられ従来の換気装置に比して幅寸法の半分以下に小さくすることができ軽量化と大幅なコストダウンが実現でき、一段と高い防水機能を得られる換気装置用通気口の形成方法、家屋棟部用換気装置の製作方法及び家屋棟部用換気装置を提供することを目的とする。
本発明は、屋根工事における棟部分の施工について、家屋棟部用換気装置を設置することを意識しないで施工することができ、または家屋棟部用換気装置を設置することを笠木被覆パネルを取付けて屋根工事を完了した後に決めても、その後に家屋棟部用換気装置を設置することができる換気装置用通気口の形成方法、家屋棟部用換気装置の製作方法及び家屋棟部用換気装置を提供することを目的とする。
【課題を解決するための手段】
【０００５】
請求項１に記載の換気装置用通気口の形成方法は、
棟部に設けられた両側に傾斜する一対の笠木を密着して被覆する耐候性・防錆性を有する金属板よりなる笠木被覆パネルを有する勾配屋根において、前記一対の笠木の互いに隣接する端面側を切り欠いて笠木の中央部に棟方向へ長尺の長矩形開口を形成しかつ笠木の下側の野地板等も切り欠くとともに該長矩形開口の両側に換気装置を構成するための除湿エレメントを設置するスペースを確保し、前記笠木被覆パネルに切り込みを入れて立ち上げてなる一対の長尺側壁を利用して前記長矩形開口を取り囲む長矩形筒を設けてなることを特徴とする。
新設の屋根に対しては、請求項２に記載のように、
笠木と野地板等を切り欠いて前記長矩形開口を形成してから、前記一対の長尺側壁を形成するための切り込みを入れた笠木被覆パネルを笠木に被せて、切り込みを開いて一対の長尺側壁を立ち上げ両端の間口を塞いで前記長矩形筒を設けてなることが好ましい。
また、既設の屋根に対しては、請求項２に記載のように、
笠木被覆パネルを笠木に被せてから笠木被覆パネルに切り込みを入れて一対の長尺側壁を立ち上げ、その後に一対の長尺側壁間に露出する笠木と野地板等を切り欠いて長矩形開口を形成し一対の長尺側壁間の両側の開口を塞いでなることが好ましい。しかし、新設の屋根にも適用できる。
請求項４に記載の換気装置用通気口の形成方法は、
棟部に設けられた両側に傾斜する一対の笠木を密着して被覆する耐候性・防錆性を有する金属板よりなる笠木被覆パネルを有する勾配屋根において、前記一対の笠木の互いに隣接する端面側を切り欠いて笠木の中央部に棟方向へ長尺の長矩形開口を形成しかつ笠木の下側の野地板等も切り欠くとともに該長矩形開口の両側に換気装置を構成するための除湿エレメントを設置するスペースを確保し、前記長矩形開口に一致する開口を有する笠木被覆パネルを笠木に被せて設け、笠木被覆パネルに前記長矩形開口を取り囲む長矩形筒を設けてなることを特徴とする。
従って、本発明によれば、笠木被覆パネルに設ける長矩形筒と、棟木の上の笠木や野地板等を分断せずに切り欠いて形成する棟方向へ長尺の長矩形開口とは、どちらを先に形成しても良い。笠木被覆パネルに切り込みを入れて一対の長尺側壁を立ち上げ該一対の長尺側壁の棟方向の両端開口を閉じる手段には別部材である短尺壁部材を用いる。
新設屋根にあっては、笠木被覆パネルに入れる切り込みは、笠木被覆パネルの断面形状に曲成する前の平面材料の段階でプレスにより長矩形筒を形成するためのＩ形の切り込みを入れておくことができる。
本発明によれば、笠木被覆パネルの幅が１７０ｍｍ〜１８０ｍｍなので、笠木被覆パネルの幅の３分の１の６０ｍｍ位を長矩形筒の幅とすることができ、そうすると、各笠木の幅方向の切り欠き寸法を３０ｍｍにすることができて、各笠木の幅の３分の２が切り欠かない寸法となり、もって長矩形筒の両側に６０ｍｍ幅の除湿エレメントを設置するスペースを確保できる。除湿エレメントは、ラビリンス通路を設ける構成なので６０ｍｍ幅が確保されれば十分である。長矩形筒の長さはいくらでも大きくすることができる。
【０００６】
請求項５に記載の家屋棟部用換気装置の製作方法は、
棟部に設けられた両側に傾斜する一対の笠木を被覆する耐候性・防錆性を有する金属板よりなる笠木被覆パネルを有する勾配屋根に設ける家屋棟部用換気装置の製作方法であって、笠木や野地板等を切り欠いて長矩形開口を形成するとともに笠木被覆パネルに前記長矩形開口と連通する長矩形筒を立ち上げ形成し、次いで、長矩形筒の両側に屋根裏の空気及び外気を許して上下又は左右に蛇行するように流通させて結露方式の除湿機能を有する除湿エレメントを設けるとともに、前記長矩形筒と前記除湿エレメントの上方を覆い前記長矩形筒の棟方向両側で前記笠木被覆パネルに密着し前記笠木被覆パネルの端面側に外気通流口を有し前記笠木被覆パネル及び笠木へねじや釘等の止着具で止着される前記ブラケット又はブラケットを兼ねさせる前記除湿エレメントに連結支持される上面パネルを設けることを特徴とする。
また請求項６に記載の家屋棟部用換気装置は、
棟部に設けられた両側に傾斜する一対の笠木を被覆する耐候性・防錆性を有する金属板よりなる笠木被覆パネルを有する勾配屋根に設ける家屋棟部用換気装置であって、
勾配屋根の棟部に設けられる両側に傾斜する一対の笠木を密着して被覆する耐候性・防錆性を有する金属板よりなる笠木被覆パネルであって笠木の上面両側に換気装置を構成するための除湿エレメントを設置するスペースを確保するようにして各笠木の互いに隣接する端面側を切り欠くとともに野地板等も切り欠いて笠木の中央部に棟方向へ長尺に形成する長矩形開口に対してその上に立ち上がる長矩形筒を有する笠木被覆パネルと、前記長矩形筒を取り囲むか又は前記長矩形筒を挟む両側に位置して笠木被覆パネルの上面に設けられ空気流を上下又は左右に蛇行して流れさせる蛇行通路を形成するととも空気流に含まれる水分を結露させて外方へ流出させる邪魔板を有する除湿エレメントと、前記長矩形筒と前記除湿エレメントと前記ブラケットの上方を覆い前記長矩形筒の棟方向両側で前記笠木被覆パネルに密着し前記笠木被覆パネルの端面側に外気通流口を有し前記笠木被覆パネル及び笠木へねじや釘等の止着具で止着される前記ブラケット又はブラケットを兼ねさせる前記除湿エレメントに連結支持される上面パネルと、からなることを特徴とする。
【０００７】
本発明にかかる上面パネルは、屋根形の天板部と棟方向側端面部と屋根傾斜側端面部とで構成できる。天板部は、笠木被覆パネルの稜線から両側へ傾斜する傾斜面と平行する屋根形となっていて長矩形筒の棟方向両側及び笠木被覆パネルの笠木に対応した段部端面よりも屋根傾斜方向下方に延びて上方を覆う。棟方向側端面部は、該天板部の棟方向両端に固定され垂下していて下端が笠木被覆パネルに密着して内側への風雨の侵入を防ぐ。屋根傾斜側端面部は、天板部の屋根傾斜方向両端に固定され垂下していて下側をまたは開口を設けて該開口を通して外気側の通流口となる。
除湿エレメントは、空気流を上下又は左右に蛇行して流れさせる蛇行通路を形成するととも空気流に含まれる水分を結露させて外方へ流出させる邪魔板を有する構成であれば足りる。例えば、空調機の放熱器のように多数のフィンを小さい間隔で多数並べて空気が一方から他方へ流通しうる迷路を形成して空気がフィンに接触して結露して除湿できる構造とすることができる。
本発明にかかる除湿エレメントは、長矩形筒の両側に分かれて笠木被覆パネルに設置する構造、長矩形筒を取り巻いて笠木被覆パネルに設置する構造、笠木被覆パネルに固定する立ち上がりリブと上面パネルに設けられる垂下リブとに分配される構造、屋根傾斜方向の断面形状が矩形波形状でありかつ立面部に空気流を屋根傾斜方向下方へ向かって上下に蛇行して流れさせる開口を有してなる構造などとすることができ、そして、上面パネルに一体に設けても良いし、また分離して設けた構造として上面パネルと笠木被覆パネルとで挟圧固定して設けても良い。
本発明は、上面パネルを笠木被覆パネルに対してねじや釘等の止着具により固定するが、雨漏りを避けるために、笠木被覆パネルの両側の段部端面よりも外側において止着するものではなく、笠木被覆パネル及び笠木に対して止着する。上面パネルを笠木被覆パネル及び笠木に対して止着するためのブラケットは、上面パネルと一体に設けても良いし、別部材として上面パネルの内側に設けても良いし、除湿エレメントのフレームにブラケットを兼ねさせても良い。別部材として設けるブラケットは、下端を笠木被覆パネルに着座してねじや釘等の止着具により笠木被覆パネル及び笠木に対して止着するとともに、他部で上面パネルを支えて上面パネルの外方からタッピンねじで上面パネルと他部とが止着される。このようにすれば、笠木から外れた屋根部分にタッピンねじ等を止着するのではないから、ブラケットが上面パネルに対して必要十分な支持強度を有しかつタッピンねじの部分から雨が沁み込む虞がない。
本発明は、上面パネルを構成する棟方向側端面部の内側に平行して設けられ棟方向側端面部の外方に対して二重に密閉するとともに天井裏の空気及び外気が前記除湿エレメントを通流するように前記上面パネル内空間を仕切る仕切り用リブを設けることが好ましい。こうすると、棟方向側端面部の外方に対して二重に密閉する仕切り用リブがあることで棟方向に雨が強く吹きつけても雨仕舞いが完全である。
本発明の家屋棟部用換気装置は、笠木被覆パネルが有るところに広く適用される。笠木被覆パネルが水平ではなくて傾斜していても適用される。このときは、本発明において、「屋根傾斜方向」とは「笠木被覆パネルの長尺方向（棟方向）に対して直角に相違する方向」と読み替えて解釈するものとする。
【０００８】
本発明の家屋棟部用換気装置の製作方法及び家屋棟部用換気装置によれば、
屋根裏の暖気は笠木被覆パネルに形成した長矩形筒を通り上面パネルの内空間を除湿エレメントの案内作用により屋根傾斜方向下方へ向かって上下に蛇行して流れ上面パネルの屋根傾斜方向の端から外部へ流出する。また反対方向に外気が屋根裏へ流入する。これによって、屋根裏の換気が行われる。除湿エレメントが空調機におけるイリミネータと同一の機能を有している。すなわち、湿度が例えば８０％〜１００％と高い外気が流入する場合、外気が除湿エレメントに触れて流入しようとするので、外気に含まれる水分が除湿エレメントに結露して捕捉され換気装置外に流下し屋根裏には除湿された外気が流入する。従って、除湿エレメントは、結露し易い材料が選択されることが好ましく、また空気の円滑な流通を阻害しないようにしてできるだけ多くラビリンスの入り組みがあることが好ましい。そして、上面パネルの屋根傾斜方向の端から蜂が入り込んで巣を作ることが無いように必要があれば、開口にメッシュ材を設けることが好ましい。
本発明の家屋棟部用換気装置の製作方法及び家屋棟部用換気装置によれば、
勾配屋根の棟部に設けられる両側に傾斜する一対の笠木を密着して被覆する耐候性・防錆性を有する金属板よりなる笠木被覆パネルを有し、該笠木被覆パネルに棟方向へ長尺の長矩形筒の換気口を立ち上った状態に有する構成であるので、
棟部に設けられた両側に傾斜する一対の笠木を密着して被覆する耐候性・防錆性を有する金属板よりなる笠木被覆パネルを有する勾配屋根であれば新設の屋根と既設の屋根のいずれにも適用できまた石綿スレート板で葺いた屋根と瓦棒を設けるトタン等の屋根のいずれにも適用できる。
また本発明によれば、
前記の換気装置用通気口の形成方法により長矩形筒を形成し、該長矩形筒に対して上面パネルを取付けるとともに除湿エレメントを取付けて家屋棟部用換気装置を形成するものであり、
上面パネルの屋根傾斜方向側端縁を笠木被覆パネルの段部端面の外側に垂下した位置として上面パネルの幅を小さくしても、長矩形筒が開口以外から雨が沁み入る虞がなく、屋根傾斜方向両側に笠木被覆パネルが十分な幅で残っていて屋根材に対して段差を有しているので、特許文献１や２のような雨仕舞いを兼ねた固定金具が必要ではなく、上面パネルを除外した構成について従来と比較して雨仕舞いが完璧であり、上面パネルの内側で長矩形筒の屋根傾斜方向両側に設ける除湿エレメントが空気に含まれた湿気を除湿する機能は従来と同等に発揮しうるから、雨水が外気と共に棟部の長矩形筒内を通り天井裏に侵入するのを確実に阻止可能である。
そして、上面パネルの屋根傾斜方向側端縁を笠木被覆パネルの段部端面の外側に垂下した位置として上面パネルの幅を小さくすることができるから、従来の換気装置の大面積化・大重量化・コスト高を解消でき、肉厚を従来より小さくしても雪の重さに耐えられる必要強度が得られ積雪が多い地方向け製品でも有利となる。また、笠木被覆パネルを笠木に被せて垂木へしっかりと釘打ちしてから長矩形筒を形成することができて、長矩形筒を形成したら直ぐに除湿エレメントと上面パネルを取付けることができる施工方法が採れるので、雨水が長矩形筒から入るという心配が無くなり、上面パネルを取付けないでいても雨水が入っても少量で済む。
【０００９】
本発明の家屋棟部用換気装置について、さらに以下の構成に限定することが好ましい。
請求項７に記載したように、前記除湿エレメントは、前記長矩形筒の屋根傾斜方向両側において前記笠木被覆パネルに固定される固定されるブラケットから立ち上がる立ち上がりリブと、前記長矩形筒の屋根傾斜方向両側において前記上面パネルの天板部より垂下する垂下リブとに分配されてなるラビリンス構造であり、
前記立ち上がりリブと、前記上面パネルを構成する上面部及び屋根傾斜側端面部とが一体形状であるアルミニウム型材よりなり、前記棟方向側端面部が前記アルミニウム型材の両端面に当接されてタッピンねじで固定されてなること。
この構成によれば、部品点数が少なくなり量産性を有し施工時の組立て工数が少なくなり上面パネルの強度が大きく得られ製作コストを低減できる。
【発明の効果】
【００１０】
本発明の換気装置用通気口の形成方法と家屋棟部用換気装置の製作方法と家屋棟部用換気装置によれば、以下の優れた効果を有する。
（１）棟部に設けられた両側に傾斜する一対の笠木を密着して被覆する耐候性・防錆性を有する金属板よりなる笠木被覆パネルを有する勾配屋根であれば新設の屋根と既設の屋根のいずれにも適用できまた石綿スレート板で葺いた屋根と瓦棒を設けるトタン等の屋根のいずれにも適用できる。
（２）棟部分の施工について笠木及び笠木被覆パネルの分断を必要とせずかつ施工が容易であり短時間で施工できて雨水が外気と共に棟部の換気口まで侵入するのを確実に阻止可能である。
（３）幅寸法が笠木の幅より若干大きい大きさに抑えられ従来の換気装置に比して幅寸法の半分以下に小さくすることができ軽量化と大幅なコストダウンが実現でき、一段と高い防水機能を得られる。
（４）屋根工事における棟部分の施工について、家屋棟部用換気装置を設置することを意識しないで施工することができ、または家屋棟部用換気装置を設置することを笠木被覆パネルを取付けて屋根工事を完了した後に決めても、その後に家屋棟部用換気装置を設置することができる。
【発明を実施するための最良の形態】
【００１１】
《実施形態１》
この実施形態は、請求項１と２と３に記載の換気装置用通気口の形成方法に関するものであり、特に、釘打ちしても割れない石綿スレート板等の屋根板材で葺いた勾配屋根であって棟に笠木があり金属製の笠木被覆パネルで被覆している勾配屋根に適用するものである。
この実施形態の勾配屋根は、
図１（ａ）に示すように、棟木１と垂木２とで組み上げた骨組上に野地板３を釘止めして敷き詰め、野地板３の上面にアスファルトルーフィング等の防水シート４を敷いてから石綿スレート板等の屋根材５を葺き、屋根材５の上に棟の両側に傾斜する一対の笠木６を突き合せて釘止めして、笠木６に笠木被覆パネル７を被せる勾配屋根である。笠木被覆パネル７の幅は１６０ｍｍ乃至１８０ｍｍである。
笠木被覆パネル７は、耐候性・防錆性を有する金属板よりなり一対の笠木６にして密着被覆している。笠木被覆パネル７は、カラートタン、銅板、アルミ板等を用いることができるが、防錆処理した鉄板の上面に耐候性防水シートを積層したパネルとすることが好ましい。笠木被覆パネル７は段部端面より笠木６に対して釘打ちして固定する。笠木被覆パネル７は両側が屋根材５の上に延びているがここを釘打ちして固定することはしない。
この実施形態の換気装置用通気口の形成方法は、
図１（ｂ）に示すように、前記笠木被覆パネル７の稜線に沿って例えば４００ｍｍ、８５０ｍｍ、又は１３００ｍｍの長尺切込み８を入れるとともに、該長尺切込み８の両端においてＴ字形となる例えば６０ｍｍの短尺切込み９を入れて、三方を前記切込み８，９で囲まれた対向一対の矩形部を両側の短尺切込み部９の端と端を結ぶ線１０より、図１（ｃ）に示すように折り上げて一対の長尺側壁１１ａ，１１ａを形成し、該長矩形筒１１内を天井裏と連通させるように笠木６や野地板５等を切り欠いて長矩形開口を確保し、続いて、図１（ｄ）に示すように、長尺側壁１１ａの棟方向の端における側壁間の開口を短尺壁部材１１ａ，１１ｂで閉じて該短尺壁部材１１ｂを笠木被覆パネル７及び長尺側壁１１ａにコーキング剤により接着固定して前記一対の長尺側壁１１ａと前記一対の短尺壁部材１１ｂとで長矩形筒１１を立ち上げ形成する。笠木被覆パネル７に対して長矩形筒１１を長尺で１つ設けたり、短尺で間隔を開けて複数設けることができる。この方法は、新設と既設の両方の勾配屋根に適用できる。
なお、笠木６と野地板５等を切り欠いて長矩形開口を形成してから、切り込み８，９を入れた笠木被覆パネル７を笠木６に被せ、その後に切り込み８，９を開いて一対の長尺側壁１１ａ，１１ａを立ち上げ、両端の間口を短尺壁部材１１ｂ，１１ｂで塞いで長矩形筒１１を設けることもできる。この方法は、新設の勾配屋根に適用できる。
図２は、図１（ｄ）に示す勾配屋根の棟部分の断面図を示す。
図２から分かるように、一対の長尺側壁１１ａ，１１ａは、笠木被覆パネル７から一体に立ち上がっている。
新設の場合には、笠木６や野地板５等を切り欠いて通気口を確保する工程を、笠木６や野地板５等を設けるときに切り欠いてしまうことができるので、長矩形筒１１を長尺に形成するときは笠木被覆パネル７に切込み８，９を予め設けておくことが好ましい。長矩形筒１１を４５ｃｍ〜９０ｃｍの短尺に形成するときは、笠木６や野地板５等を切り欠くことが容易でありまた笠木被覆パネル７に切込み８，９を入れることも容易であるので、換気装置を設けることを考慮しないで勾配屋根の棟部分について普通に施工して、その後に、換気装置用通気口の形成方法を形成しても良い。これは、既設屋根へ換気装置用通気口を形成する上で有利である。さらに、長矩形筒１１を別部材で構成して笠木被覆パネル７の開口を取り囲むように設けても良い（請求項４）。
短尺壁部材１１ｂは、笠木被覆パネルに重ねて固定する基板部１１１と、該基板部１１１より立ち上がり側壁間の開口を塞ぐ壁面部１１２と、長尺側壁の端縁に対して外側に重なる抱え込み部１１３を有する形状であり、セラミック成形品、アルミダイキャスト品、板金加工品であることが好ましい。短尺壁部材１１ｂは、笠木被覆パネル７にコーキング剤により接着固定するだけでなくビスねじで笠木被覆パネル７に固定することが好ましい。長尺側壁１１ａと短尺壁部材１１ｂとのコーナーは、短尺壁部材１１ｂが長尺側壁１１ａの外側に重なる鍔部があってコーキング剤を塗って固定することが好ましい。
【００１２】
《実施形態２》
この実施形態は、請求項１と２と３に記載の換気装置用通気口の形成方法に関するものであり、特に、カラートタン等で葺いた勾配屋根で棟に笠木があり金属製の笠木被覆パネルで被覆している勾配屋根に適用するものである。
この実施形態の勾配屋根は、
図３（ａ）に示すように、棟木１と垂木２とで組み上げた骨組上に野地板３を釘止めして敷き詰め、野地板３の上面にアスファルトルーフィング等の防水シート４を敷いてから前記野地板３を挟んで垂木２に積み重ねるように瓦棒（垂木材）１２を釘打ちして取付け、瓦棒１２間の防水シート４の上にカラートタンや銅板等の屋根材１３を両端が瓦棒１２の側面に密着して立ち上がるように重ねかつ上端を立ち上げてコーキング剤で目留めして次いで屋根材１３と同材質の瓦棒被覆パネル１４を瓦棒１２に被せて釘止めして、それから、瓦棒１２の上に棟の両側に傾斜する一対の笠木６を突き合せて取付け、耐候性・防錆性を有する金属板よりなり棟部に設けられた両側に傾斜する一対の笠木６を密着被覆している笠木被覆パネル７を有する勾配屋根である。
換気装置用通気口の形成方法は、
上述したように図２に示す勾配屋根の笠木と笠木被覆パネルは同一であるから基本的に図１に示す勾配屋根と同様に形成できる。
説明すると、図３（ｂ）に示すように、前記笠木被覆パネル７の稜線に沿った長尺切込み８と該長尺切込み８の両端においてＴ字形となる短尺切込み９とを形成して三方を前記切込み８，９で囲まれた対向一対の矩形部を両側の短尺切込み部９の端と端を結ぶ線より折り上げ、次いで図３（ｃ）に示すように、一対の長尺側壁１１ａ，１１ａを形成し、次いで図３（ａ）に示すように、長尺側壁１１ａの棟方向の端における側壁間の開口を短尺壁部材１１ｂ，１１ｂで閉じて該短尺壁部材１１ｂを笠木被覆パネル７及び長尺側壁１１ａにコーキング剤により接着固定して前記一対の長尺側壁１１ａと前記一対の短尺壁部材１１ｂとで長矩形筒１１を立ち上げ形成する。長矩形筒１１内を天井裏と連通させるように笠木６や野地板５等を切り欠いて通気口を確保するのは、実施形態１と同様に行う。通気口を３つ以上の垂木間に設ける場合には垂木２と瓦棒１２を笠木６や野地板５とともに切り欠くのが好ましい。
図４は、図３（ｄ）に示す勾配屋根の棟部分の断面図を示す。
図４から分かるように、一対の長尺側壁１１ａ，１１ａは、笠木被覆パネル７から一体に立ち上がっている。屋根材１３については予め開口を設けておく。既設屋根では頂部から切り開いて外側へ立ち上げてコーキングを行う。
この実施形態の換気装置用通気口の形成方法も、新設の屋根及び既設の勾配屋根に適用できる。
【００１３】
《実施形態３》
図５は、請求項５に記載の換気装置用通気口の形成方法の実施形態及び請求項６及び７に記載の家屋棟部用換気装置の実施形態にかかり、製作工程を示す斜視図と断面図であり、図１（ａ）に示す勾配屋根と図３（ａ）に示す勾配屋根のいずれにも適用するものである。
この換気装置用通気口の形成方法は、
図５（ａ）に示すように、棟部に設けられた両側に傾斜する一対の笠木６，６を密着して被覆する耐候性・防錆性を有する金属板よりなる笠木被覆パネル７を有する勾配屋根において、棟木の上の笠木６や野地板３等を分断せずに切り欠いて棟方向へ長尺の長矩形開口（符号なし）を形成するとともに、金属板よりなる笠木被覆パネル７に切り込みを入れて立ち上げてなる一対の長尺側壁１１ａ，１１ａを利用して長矩形開口を取り囲む長矩形筒１１を立ち上げ、次いで、図５（ｂ）に示すように、前記長矩形筒１１を取り囲んで笠木被覆パネル７の上面に例えば３ｍｍの厚みのゴム１５を敷設してから、除湿エレメントを構成する下側リブ材１６ａ，１６ｂを長矩形筒１１の屋根傾斜方向両側のゴム１５の上に配置して釘（またはねじ）１９により笠木被覆パネル７の下側の笠木６，６へ止着するとともに、ブラケット１７，１７を長矩形筒１１の棟方向両側のゴム１５の上に配設し、次いで、図５（ｃ）に示すように、上面パネル１８をブラケット１７，１７を介して笠木被覆パネル７に止着するものである。ブラケット１７，１７は、笠木被覆パネル７と笠木６，６を貫通し瓦棒や垂木まで到達するように止着する。
図５（ｄ）は上面パネル１８を取付完了後の棟方向に視た断面図を示す。
上面パネル１８は、天板部１８ａと棟方向側端面部１８ｂ，１８ｂと屋根傾斜側端面部１８ｃ，１８ｃとを備える構成である。棟方向側端面部１８ｂ，１８ｂは、下端が笠木被覆パネル７に密着して内側への風雨の侵入を防ぐ。屋根傾斜側端面部１８ｃ，１８ｃの下側が外気出入り口になっている。
従って、この実施形態の家屋棟部用換気装置は、
家屋棟部用換気装置は、図５（ｄ）に示すように、勾配屋根の棟部に設けられる両側に傾斜する一対の笠木を密着して被覆する耐候性・防錆性を有する金属板よりなる笠木被覆パネル７と、笠木被覆パネル７に設ける長矩形筒１１に被さる上面パネル１８と、上面パネル１８の内側に設けられる除湿エレメント１６ａ，１６ｂと、上面パネル１８を該上面パネル１８の内側で笠木被覆パネル７へ連結固定するブラケット１７，１７とからなる。
図５（ａ）に示す笠木被覆パネル７は、図１を用いて説明したように、該笠木被覆パネル７に切込みを設けて垂直に折り上げて一対の長尺側壁１１ａ，１１ａを形成するとともに長尺側壁１１ａの棟方向の端における側壁間の開口を短尺壁部材１１ｂ，１１ｂで塞いで棟方向へ長尺の長矩形筒１１を笠木被覆パネル７から立ち上げた状態に有する構成である。
なお、家屋棟部用換気装置の発明については、笠木被覆パネル７に長矩形開口を設けて別部材の長矩形筒を固定設置した場合も含む。
図５（ｃ），（ｄ）に示すように、上面パネル１８は、笠木被覆パネル７の稜線から両側へ傾斜する傾斜面と平行する屈曲面となっていて長矩形筒１１の棟方向両側及び笠木被覆パネル７の笠木６に対応した段部端面よりも屋根傾斜方向下方に延びている天板部１８ａと該天板部１８ａの棟方向両端に固定され垂下していて下端が笠木被覆パネル７に密着して内側への風雨の侵入を防ぐ棟方向側端面部１８ｂ，１８ｂと天板部１８ａの屋根傾斜方向両端に固定され垂下していて下端が少なくとも笠木被覆パネル７の前記段部端面上端の高さまで下がっている屋根傾斜側端面部１８ｃ，１８ｃとを備える構成である。
図５（ｄ）に示すように、除湿エレメントは、長矩形筒１１の屋根傾斜方向両側において笠木被覆パネル７に固定される側の立ち上がりリブ１６ａと、長矩形筒１１の屋根傾斜方向両側において上面パネル１８の天板部１８ａより垂下する垂下リブ１６ｂとに分配されてなる。除湿エレメントを構成する立ち上がりリブ１６ａと垂下リブ１６ｂは、上面パネル１８の内側の長矩形筒１１の屋根傾斜方向両側の空間に空気流を屋根傾斜方向下方へ向かって上下に蛇行して流れさせる。
立ち上がりリブ１６ａと垂下リブ１６ｂによって空気流の流れが規制され上下に蛇行して流れさせるためには、空気流の流れがリブ１６ａと１６ｂの両側に迂回しないように規制する必要がある。この実施形態では、図５（ｂ）に示すように、ブラケット１７，１７が、リブ１６ａと１６ｂの端面に当接して設けられ、上面パネル１８の内空間を、長矩形筒１１をリブ１６ａと１６ｂを含む中央エリアと、上面パネル１８の棟方向側端面部１８ｂ側の両側エリアとに仕切る役目を果たしている。
図５（ｃ）に示すように、ブラケット１７，１７は、下端を笠木被覆パネル７にねじ等の止着具１９により取付けられ他の部（上端）で上面パネル１８の内面を受承し、図５（ｂ）に示すように、タッピンねじ２０で連結支持する構成である。
なお、ブラケット１７とは別に、屋根傾斜方向に下側リブ材１６ａと垂下リブ１６ｂとの間にスリットを設けた仕切り用リブを配設しても良い。また立ち上がりリブ１６ａと垂下リブ１６ｂとを長矩形筒１１を取り巻く矩形環状に形成して除湿エレメントを構成するときは仕切り用リブを必要としない。
この実施形態では、量産性と低コストを実現するために、垂下リブ１６ｂと、上面パネルＢを構成する上面部１８ａ及び屋根傾斜側端面部１８ｃ，１８ｃとが一体形状であるアルミニウム型材よりなり、そして、組み付け性を向上するために、図５（ｃ）に示すように、棟方向側端面部１８ｂ，１８ｂがアルミニウム型材の両端面に当接されてタッピンねじ１８ｄで固定されてなる。立ち上がりリブ１６ａが両側に分かれていることも量産性と低コストを実現する上で効果があり組み付け性が高い。
この実施形態では、図５（ｄ）に示すように、垂下リブ１６ｂと立ち上がりリブ１６ａと屋根傾斜側端面部１８ｃ，１８ｃは屋根傾斜面に対して直角ではなくて鉛直方向に延びているので、両側の最も外側にある垂下リブ１６ｂ，１６ｂは屋根傾斜側端面部１８ｃ，１８ｃの内側に密着していても、上面パネル１８を上方から鉛直下方へ下ろして組み付けることができる。そして、屋根傾斜側端面部１８ｃ，１８ｃと垂下リブ１６ｂ，１６ｂとを外方からタッピンねじで止着することで上面パネル１８の強固な固定が確保できる。なお、垂下リブ１６ｂと立ち上がりリブ１６ａと屋根傾斜側端面部１８ｃ，１８ｃは屋根傾斜面に対して直角に延びていても良いが、この場合には、上面パネル１８の取付けを可能とするために、屋根傾斜側端面部１８ｃ，１８ｃの内側に密着する垂下リブ１６ｂ，１６ｂは設けない。
垂下リブ１６ｂ，１６ｂを設ける基板の屋根傾斜方向下端部は笠木被覆パネル７より例えば２０ｍｍ位張り出していてそこに換気口１９を確保し、さらに先に上面パネル１８の屋根傾斜側端面部１８ｃ，１８ｃが載るようになっていて施工がし易くなっている。なお、換気口１９は蜂が入り込まない大きさで必要十分な換気流の出入りを確保するように多数設ける。
【００１４】
《実施形態４》
図６に示す実施形態は、除湿エレメント１６を屋根傾斜方向の断面形状が矩形波形状でありかつ立面部に空気流を屋根傾斜方向下方へ向かって上下に蛇行して流れさせる開口を有してなる構造である。この除湿エレメント１６は、棟方向の端縁が上面パネル１８の両側の棟方向側端面部１８ｂ，１８ｂの内面に密着する。この除湿エレメント１６は、笠木被覆パネル７及び笠木６に対してねじや釘等の止着具１９で固定される。ブラケットは設けず、除湿エレメント１６にブラケットを兼ねさせ、上面パネル１８を被せて上面パネル１８の外方からタッピンねじ２０で上面パネル１８を除湿エレメント１６に対して止着する。その他の構成は、実施形態３と同様である。
【図面の簡単な説明】
【００１５】
【図１】請求項１と２と３に記載の換気装置用通気口の形成方法の実施形態の形成工程を示す斜視図である。
【図２】図１（ｄ）に示す勾配屋根の棟部分の断面図を示す。
【図３】請求項１と２と３に記載の換気装置用通気口の形成方法の他の実施形態の形成工程を示す斜視図である。
【図４】図３（ｄ）に示す勾配屋根の棟部分の断面図を示す。
【図５】請求項５に記載の換気装置用通気口の形成方法の実施形態及び請求項６，７に記載の家屋棟部用換気装置の実施形態にかかる斜視図と断面図である。
【図６】請求項６，７に記載の家屋棟部用換気装置の他の実施形態にかかる断面図である。
【符号の説明】
【００１６】
１      棟木
２      垂木
３      野地板
４      防水シート
５      屋根材
６      笠木
７      笠木被覆パネル
８，９    切り込み
１１        長矩形筒
１１ａ      長尺側壁
１１ｂ      短尺壁部材
１３      屋根材
１４      瓦棒被覆パネル
１５      ゴム
１６      除湿エレメント
１６ａ，１６ｂ      除湿エレメントを構成するリブ材
１７      ブラケット
１８      上面パネル
１８ａ    天板部
１８ｂ    棟方向側端面部
１８ｃ    屋根傾斜側端面部
【図１】
2006214110.tif 000003
【図２】
2006214110.tif 000004
【図３】
2006214110.tif 000005
【図４】
2006214110.tif 000006
【図５】
2006214110.tif 000007
【図６】
2006214110.tif 000008